(57)【要約】【課題】  簡易な構成で、安定して作動する対象物を出入りさせる出入口を開閉するための出入口ゲートを提供しようとする。【解決手段】  従来の出入口ゲートにかわって、出入口を左右からを挟む様に設けられ一定の断面を持ち上下方向に延びた１対のドアレールと該ドアレールを各々支持する１対の構造柱とを有する主支持構造体と、略矩形の板状構造体である扉本体と該扉本体の縁部を支持し前記ドアレールに上下方向に移動自在に案内される構造体である扉フレームとを有する扉構造体と、前記扉本体が出入口の少なくとも対象物の往来する領域を塞ぐ姿勢である閉止姿勢と前記扉本体が出入口より下方に退避する姿勢である退避姿勢との間で前記扉フレームを昇降させることをできる扉昇降機器と、を備えるものとした。【選択図】    図２
2006316421.tif 000002
【特許請求の範囲】
【請求項１】
車両を駐車させる駐車装置用の出入口を備えた入出庫ステーションであって、
出入口に沿って左右方向に延びる下側長孔を設けられ床面を形成する床板と出入口に沿って上下方向に延びる右側長孔を設けられ右壁面を形成する右側壁板と出入口に沿って上下方向に延びる左側長孔を設けられ左壁面を形成する左側壁板とを有する出入口構造体と、
略矩形の板状構造体である扉本体と該扉本体の縁部を支持する構造体である扉フレームとを有する扉構造体と、
前記扉フレームを上下方向に移動自在に案内する構造体である主支持構造体と、
前記扉本体が出入口の少なくとも車両の往来する領域を塞ぐ姿勢である閉止姿勢と前記扉本体が出入口より下方に退避する姿勢である退避姿勢との間で前記扉フレームを昇降させることをできる扉昇降機器と、
を備え、
前記閉止姿勢において前記扉本体が前記下側長孔と前記右側長孔と前記左側長孔とを突き抜ける、
ことを特徴とする入出庫ステーション。
【請求項２】
前記扉フレームが前記扉本体の下側の縁部に嵌合される下縁支持構造体と前記扉本体の左右の縁部に嵌合される左右１対の側縁支持構造体とを含む扉本体支持構造体と該扉本体支持構造体の外周を支持する外周支持構造体と前記外周支持構造体の左右に各々固定されたガイドシューとを有し、
前記主支持構造体が出入口を左右からを挟む様に設けられ一定の断面を持ち上下方向に延びた１対のドアレールと該ドアレールを各々支持する１対の構造柱とを有し、
前記ガイドシューが前記ドアレールに上下方向に摺動自在に嵌合する、
ことを特徴とする請求項１に記載の入出庫ステーション。
【請求項３】
前記外周支持構造体が前記側縁支持構造体を支持する左右１対の側部支持構造体と該側部支持構造体に両端を繋ぎ前記下縁支持構造体を支持する下部支持構造体とを含み、
前記扉昇降機器が前記側部支持構造体を上側から吊る牽引索と該牽引索を巻き上げまたは巻き下げることをできる牽引索巻上げ機器とを有する、
ことを特徴とする請求項２に記載の入出庫ステーション。
【請求項４】
対象物を出入りさせる出入口を開閉するための出入口ゲートであって、
出入口を左右からを挟む様に設けられ一定の断面を持ち上下方向に延びた１対のドアレールと該ドアレールを各々支持する１対の構造柱とを有する主支持構造体と、
略矩形の板状構造体である扉本体と該扉本体の縁部を支持し前記ドアレールに上下方向に移動自在に案内される構造体である扉フレームとを有する扉構造体と、
前記扉本体が出入口の少なくとも対象物の往来する領域を塞ぐ姿勢である閉止姿勢と前記扉本体が出入口より下方に退避する姿勢である退避姿勢との間で前記扉フレームを昇降させることをできる扉昇降機器と、
を備えることを特徴とする出入口ゲート。
【請求項５】
出入口に沿って左右方向に延びる下側長孔を設けられ床面を形成する床板と出入口に沿って上下方向に延びる右側長孔を設けられ右壁面を形成する右側壁板と出入口に沿って上下方向に延びる左側長孔を設けられ左壁面を形成する左側壁板とを有する出入口構造体を備え、
前記閉止姿勢において前記扉本体が前記下側長孔と前記右側長孔と前記左側長孔とを突き抜ける、
ことを特徴とする請求項４に記載の出入口ゲート。
【請求項６】
前記扉フレームが前記扉本体の下側の縁部に嵌合される下縁支持構造体と前記扉本体の左右の縁部に嵌合される左右１対の側縁支持構造体とを含む扉本体支持構造体と該扉本体支持構造体の外周を支持する外周支持構造体と前記外周支持構造体の左右に各々に固定される複数の前記ガイドシューとを持ち、
前記ガイドシューが前記ドアレールに上下方向に摺動自在に嵌合する、
ことを特徴とする請求項４に記載の出入口ゲート。
【請求項７】
前記外周支持構造体が前記側縁支持構造体を支持する左右１対の側部支持構造体と該側部支持構造体に両端を繋ぎ前記下縁支持構造体を支持する下部支持構造体とを含み、
前記扉昇降機器が前記側部支持構造体を上側から吊る牽引索と該牽引索を巻き上げまたは巻き下げることをできる牽引索巻上げ機器とを有する、
ことを特徴とする請求項６に記載の出入口ゲート。
【発明の詳細な説明】
【技術分野】
【０００１】
本発明は、車両を駐車させる駐車装置用の入出庫ステーションと対象物を出入りさせる出入口を開閉するための出入口ゲートに係る。特に、出入口を開閉する構造に特徴のある入出庫ステーションと出入口ゲートに関する。
【背景技術】
【０００２】
対象物を出入りさせる出入口を開閉するための出入口ゲートが、多くの場所で利用される。
例えば、車両を駐車させる機械式駐車装置用の車両を入出庫させる入出庫ステーションに出入口ゲートが用いられる。
通例、扉を床面の上に設置して出入口を閉鎖する。出入口を開放するときは、扉を上方へ持ち上げて、車両等の対象物が出入口に出入り可能にする。
出入口の高さが低い場合に、扉を上方に持ち上げても十分な開口高さを得ることができないことがある。その結果、車両等の出入りが規制されてしまうことがある。
【０００３】
特開２００２−２２７５１６号では、扉を出入口の下方に納めて出入口を開放する構造が提案されている。
しかし、周知技術をもちいて扉を支持するとすると、扉の構造が堅牢かつ大きくなる。
【０００４】
【特許文献１】特開２００２−２２７５１６号
【発明の開示】
【発明が解決しようとする課題】
【０００５】
本発明は以上に述べた問題点に鑑み案出されたもので、簡易な構成で、安定して作動する対象物を出入りさせる出入口を開閉するための出入口ゲートと車両を駐車させる駐車装置用の出入口を備えた入出庫ステーションとを提供しようとする。
【課題を解決するための手段】
【０００６】
上記目的を達成するため、本発明に係る車両を駐車させる駐車装置用の出入口を備えた入出庫ステーションを、出入口に沿って左右方向に延びる下側長孔を設けられ床面を形成する床板と出入口に沿って上下方向に延びる右側長孔を設けられ右壁面を形成する右側壁板と出入口に沿って上下方向に延びる左側長孔を設けられ左壁面を形成する左側壁板とを有する出入口構造体と、略矩形の板状構造体である扉本体と該扉本体の縁部を支持する構造体である扉フレームとを有する扉構造体と、前記扉フレームを上下方向に移動自在に案内する構造体である主支持構造体と、前記扉本体が出入口の少なくとも車両の往来する領域を塞ぐ姿勢である閉止姿勢と前記扉本体が出入口より下方に退避する姿勢である退避姿勢との間で前記扉フレームを昇降させることをできる扉昇降機器と、を備え、前記閉止姿勢において前記扉本体が前記下側長孔と前記右側長孔と前記左側長孔とを突き抜ける、ものとした。
【０００７】
上記本発明の構成により、出入口構造体の床板が出入口に沿って左右方向に延びる下側長孔を設けられ床面を形成する。出入口構造体の右側壁板が出入口に沿って上下方向に延びる右側長孔を設けられ右壁面を形成する。出入口構造体の左側壁板が出入口に沿って上下方向に延びる左側長孔を設けられ左壁面を形成する。扉構造体の扉本体が略矩形の板状構造体である。扉構造体の扉フレームが該扉本体の縁部を支持する。主支持構造体が前記扉フレームを上下方向に移動自在に案内する。閉止姿勢が前記扉本体が出入口の少なくとも車両の往来する領域を塞ぐ姿勢である。退避姿勢が前記扉本体が出入口より下方に退避する姿勢である。扉昇降機器が閉止姿勢と退避姿勢との間で前記扉フレームを昇降させることをできる。
その結果、扉昇降機器が前記扉フレームを昇降させると、前記扉フレームに支持された扉本体が上下方向に移動し、前記扉本体に無理な力が作用しないので前記扉本体を薄く軽量化でき、前記閉止姿勢では前記扉本体が出入口を閉止して車両の往来を阻止でき、前記退避姿勢では出入口が開放されて車両の往来を自由にする。
【０００８】
上記目的を達成するため、本発明に係る対象物を出入りさせる出入口を開閉するための出入口ゲートを、出入口を左右からを挟む様に設けられ一定の断面を持ち上下方向に延びた１対のドアレールと該ドアレールを各々支持する１対の構造柱とを有する主支持構造体と、略矩形の板状構造体である扉本体と該扉本体の縁部を支持し前記ドアレールに上下方向に移動自在に案内される構造体である扉フレームとを有する扉構造体と、前記扉本体が出入口の少なくとも対象物の往来する領域を塞ぐ姿勢である閉止姿勢と前記扉本体が出入口より下方に退避する姿勢である退避姿勢との間で前記扉フレームを昇降させることをできる扉昇降機器と、を備えるものとした。
【０００９】
上記本発明の構成により、主支持構造体の１対のドアレールが出入口を左右からを挟む様に設けられ一定の断面を持ち上下方向に延びる。主支持構造体の構造柱が該ドアレールを各々支持する。扉構造体の扉本体が略矩形の板状構造体である。扉構造体の扉フレームが該扉本体の縁部を支持し前記ドアレールに上下方向に移動自在に案内される。閉止姿勢が前記扉本体が出入口の少なくとも対象物の往来する領域を塞ぐ姿勢である。退避姿勢が前記扉本体が出入口より下方に退避する姿勢である。扉昇降機器が閉止姿勢と退避姿勢との間で前記扉フレームを昇降させることをできる。
その結果、扉昇降機器が前記扉フレームを昇降させると、前記扉構造体の扉フレームが前記ドアレールに案内され上下方向に移動し、前記扉本体に無理な力が作用しないので前記扉本体を薄く軽量化でき、前記閉止姿勢では前記扉本体が出入口を閉止して対象物の往来を阻止し、前記退避姿勢では出入口が開放されて対象物の往来を自由にする。
【発明の効果】
【００１０】
以上説明したように本発明に係る車両を駐車させる駐車装置用の出入口を備えた入出庫ステーションは、その構成により、以下の効果を有する。
出入口に沿って延びた長孔を設けられた床板と右側壁板と左側壁板とを設け、矩形の前記扉本体の縁部を前記扉フレームで支持し、前記扉フレームを上下方向に移動自在に案内し、前記扉本体が車両の往来する領域を塞ぐ閉止姿勢と前記扉本体が出入口より下方へ退避する退避姿勢との間で前記扉フレームを上下移動する様にしたので、扉昇降機器が前記扉フレームを昇降させると、前記扉フレームに支持された扉本体が上下方向に移動し、前記扉本体に無理な力が作用しないので前記扉本体を薄く軽量化でき、前記閉止姿勢では前記扉本体が出入口を閉止し車両の往来を阻止し、前記退避姿勢では出入口が開放されて車両の往来を自由にする。
【００１１】
以上説明したように本発明に係る対象物を出入りさせる出入口を開閉するための出入口ゲートは、その構成により、以下の効果を有する。
出入口の左右に上下方向に延びた１対の前記ドアレールを前記構造柱で支持し、前記ドアレールの上下方向に移動自在に案内される前記扉フレームで前記扉本体を支持し、前記扉本体が車両の往来する領域を塞ぐ閉止姿勢と前記扉本体が出入口より下方へ退避する退避姿勢との間で前記扉フレームを上下移動する様にしたので、扉昇降機器が前記扉フレームを昇降させると、前記扉構造体の扉フレームが前記ドアレールに案内され上下方向に移動し、前記扉本体に無理な力が作用しないので前記扉本体を薄く軽量化でき、前記閉止姿勢では前記扉本体が出入口を閉止し対象物の往来を阻止し、前記退避姿勢では出入口が開放されて対象物の往来を自由にする。
従って、簡易な構成で、安定して作動する対象物を出入りさせる出入口を開閉するための出入口ゲートとその出入口ゲートを備えた駐車装置用入出庫ステーションとを提供できる。
【発明を実施するための最良の形態】
【００１２】
以下に、本発明の実施形態に係る入出庫ステーションを説明する。本発明は、以下に記載した実施形態のいずれか、またはそれらの中の二つ以上が組合わされた態様を含む。
【００１３】
本発明の実施形態に係る入出庫ステーションは、前記扉フレームが前記扉本体の下側の縁部に嵌合される下縁支持構造体と前記扉本体の左右の縁部に嵌合される左右１対の側縁支持構造体とを含む扉本体支持構造体と該扉本体支持構造体の外周を支持する外周支持構造体と前記外周支持構造体の左右に各々固定されたガイドシューとを有し、前記主支持構造体が出入口を左右からを挟む様に設けられ一定の断面を持ち上下方向に延びた１対のドアレールと該ドアレールを各々支持する１対の構造柱とを有し、前記ガイドシューが前記ドアレールに上下方向に摺動自在に嵌合する。
上記実施形態の構成により、前記下縁支持構造体とが前記扉本体の下側の縁部に嵌合される。左右１対の前記側縁支持構造体が前記扉本体の左右の縁部に嵌合される。外周支持構造体が該扉本体支持構造体の外周を支持する。ガイドシューが前記外周支持構造体の左右に各々固定される。前記主支持構造体の１対のドアレールが出入口を左右からを挟む様に設けられ一定の断面を持ち上下方向に延びる。１対の構造柱のドアレールを各々支持する。前記ガイドシューが前記ドアレールに上下方向に摺動自在に嵌合する。
その結果、扉昇降機器が前記扉フレームを昇降させる際に、前記扉本体に無理な力が作用せず、前記扉本体用に用いる材料の選択の幅がひろがる。
【００１４】
本発明の実施形態に係る入出庫ステーションは、前記外周支持構造体が前記側縁支持構造体を支持する左右１対の側部支持構造体と該側部支持構造体に両端を繋ぎ前記下縁支持構造体を支持する下部支持構造体とを含み、前記扉昇降機器が前記側部支持構造体を上側から吊る牽引索と該牽引索を巻き上げまたは巻き下げることをできる牽引索巻上げ機器とを有する、
上記実施形態の構成により、左右１対の前記側部支持構造体が前記側縁支持構造体を支持する。前記下部支持構造体が前記側部支持構造体に両端を繋ぎ前記下縁支持構造体を支持する。前記扉昇降機器の前記牽引索が前記側部支持構造体を上側から吊る。牽引索巻上げ機器が該牽引索を巻き上げまたは巻き下げることをできる。
その結果、牽引索の吊り力により扉本体に曲げ応力が発生するのを抑制し、扉本体をより軽量化し、薄くすることをできる。
【００１５】
以下に、本発明に実施形態に係る出入口ゲートを説明する。本発明は、以下の記載した実施形態のいずれか、またはそれらの中の二つ以上が組合わされた態様を含む。
【００１６】
本発明の実施形態に係る出入口ゲートは、出入口に沿って左右方向に延びる下側長孔を設けられ床面を形成する床板と出入口に沿って上下方向に延びる右側長孔を設けられ右壁を形成する右側壁板と出入口に沿って上下方向に延びる左側長孔を設けられ左壁面を形成する左側壁板とを有する出入口構造体を、備え、前記閉止姿勢において前記扉本体が前記下側長孔と前記右側長孔と前記左側長孔とを突き抜ける。
上記実施形態の構成により、出入口に沿って床面を形成する床板が左右方向に延びる下側長孔を設けられる。出入口に沿って右壁面を形成する右側壁板が上下方向に延びる右側長孔を設けられる。出入口に沿って左壁面を形成する左側壁板が上下方向に延びる左側長孔を設けられる。前記閉止姿勢において前記扉本体が前記下側長孔と前記右側長孔と前記左側長孔とを突き抜ける。
この結果、下側長孔と右側長孔と左側長孔の幅を扉本体の厚みより僅かに広くすればよいので、出入口の構造をシンプルにすることをできる。
【００１７】
本発明の実施形態に係る出入口ゲートは、前記扉フレームが前記扉本体の下側の縁部に嵌合される下縁支持構造体と前記扉本体の左右の縁部に嵌合される左右１対の側縁支持構造体とを含む扉本体支持構造体と該扉本体支持構造体の外周を支持する外周支持構造体と前記外周支持構造体の左右に各々に固定される複数の前記ガイドシューとを持ち、前記ガイドシューが前記ドアレールに上下方向に摺動自在に嵌合する。
上記実施形態の構成により、前記下縁支持構造体が前記扉本体の下側の縁部に嵌合される。左右１対の前記側縁支持構造体が前記扉本体の左右の縁部に嵌合される。
外周支持構造体が該扉本体支持構造体の外周を支持する。複数の前記ガイドシューが前記外周支持構造体の左右に各々に固定される。前記ガイドシューが前記ドアレールに上下方向に摺動自在に嵌合する。
その結果、扉昇降機器が前記扉フレームを昇降させる際に、前記扉本体に無理な力が作用せず、前記扉本体に用いる材料の選択の幅がひろがる。
【００１８】
本発明の実施形態に係る出入口ゲートは、前記外周支持構造体が前記側縁支持構造体を支持する左右１対の側部支持構造体と該側部支持構造体に両端を繋ぎ前記下縁支持構造体を支持する下部支持構造体とを含み、前記扉昇降機器が前記側部支持構造体を上側から吊る牽引索と該牽引索を巻き上げまたは巻き下げることをできる牽引索巻上げ機器とを有する、
上記実施形態の構成により、左右１対の前記側部支持構造体が前記側縁支持構造体を支持する。前記下部支持構造体が該側部支持構造体に両端を繋ぎ前記下縁支持構造体を支持する。牽引索巻上げ機器の牽引索が前記側部支持構造体を上側から吊る。牽引索巻上げ機器が該牽引索を巻き上げまたは巻き下げることをできる。
その結果、牽引索の吊り力により扉本体に曲げ応力が発生するのを抑制し、扉本体をより軽量化し、薄くすることをできる。
【００１９】
以下、本発明を実施するための最良の形態を、図面を参照して説明する。なお、各図において、共通する部分には同一の符号を付し、重複した説明を省略する。
【００２０】
最初に、本発明の実施形態に係る駐車装置用入出庫ステーションと出入口ゲートの構成を、図を基に、説明する。
図１は、本発明の実施形態に係る駐車装置の側面断面図である。図２は、本発明の実施形態に係る入出庫ステーションの側面断面図である。図３は、本発明の実施形態に係る入出庫ステーションのＡ−Ａ断面図である。図４は、本発明の実施形態に係る入出庫ステーションのＢ−Ｂ断面図である。図５は、本発明の実施形態に係る出入口ゲートの部分正面図である。図６は、本発明の実施形態に係る出入口ゲートのＣ−Ｃ断面図である。図７は、本発明の実施形態に係る出入口ゲートのＤ−Ｄ断面図である。
説明の便宜上、出入口ゲートが、駐車装置の出入口を備えた入出庫ステーションに設けられるものを基にして、説明する。
【００２１】
駐車装置は、入出庫ステーション２と駐車スペース３とパレット昇降機器４と複数のパレット５とで構成される。
複数のパレット５が、入出庫ステーション２と駐車スペース３とに配される。
パレット昇降機器４が、パレット５を入出庫ステーション２と駐車スペース３との間で昇降させる。
パレット５は、駐車スペース３をパレット搬送機器（図示せず）により搬送される。
出入口ゲート６が、入出庫ステーション２の出入口Ｈに配される。
車両は、入出庫ステーションに出入りする際に、出入口Ｈを往来する。
【００２２】
出入口ゲート６は、対象物を出入りさせる出入口Ｈを開閉するためのものである。出入口デート６は、出入口Ｈを閉止して車両の往来を阻止する。出入口デート６は、出入口Ｈを開放して車両の往来を自由にする。
出入口ゲート６は、出入口構造体１０と主支持構造体２０と扉構造体３０と扉昇降機器４０とで構成される。
【００２３】
出入口構造体１０は、入出庫ステーションの壁を形成する構造体であって、床板１１と右側壁板１２と左側壁板１３と天井板１４と奥壁板１５と正面壁板１６とで構成される。
床板１１は、下側長孔Ｓ１を設けられ出入口の下面を形成する板である。下側長孔Ｓ１が、出入口Ｈに沿って左右方向に延びる長孔である。下側長孔Ｓ１が、床板１１を貫通している。
右側壁板１２は、右側長孔Ｓ２を設けられ出入口の右面を形成する板である。右側長孔Ｓ２が、出入口Ｈに沿って上下方向に延びる長孔である。右側長孔Ｓ２が、右側壁板１２を貫通する。
左側壁板１３は、左側長孔Ｓ３を設けられ出入口の左面を形成する板である。左側長孔Ｓ３が、出入口Ｈに沿って上下方向に延びる長孔である。左側長孔Ｓ３が、左側壁板１３を貫通する。
下側長孔Ｓ１の右端部が右側長孔Ｓ２の下端部に繋がる。
下側長孔Ｓ１の左端部が左側長孔Ｓ３の下端部に繋がる。
天井板１４は、出入口Ｈの上面を形成する板である。
奥壁材１５は、出入口Ｈをもつ入出庫ステーションの奥側の面を形成する板である。
正面壁板１６は、出入口Ｈの回りの外壁面を形成する板である。
【００２４】
主支持構造体２０は、後述する扉フレーム３２を上下方向に移動自在に案内する構造体である。
主支持構造体２０は、１対のドアレール２１と１対の構造柱２２と構造梁２３とで構成されてもよい。
ドアレール２１は、出入口Ｈを左右からを挟む様に設けられ、一定の断面を持ち上下方向に延びた１対のレールである。
例えば、ドアレール２１の断面は、矩形をしている。
構造柱２２は、ドアレール２１を各々に支持する柱状の構造部材である。
例えば、構造柱２２は、上下方向に長手方向を向けた溝型鋼である。１対のドアレール２１は、１対の構造柱２２の互いに対向する面に固定される。
構造柱２２の上下が、建物等に固定される。
構造梁２３は、１対の構造柱２２に両端を繋げる梁状の構造部材である。
例えば、構造梁２３は、左右方向に長手方向を向けた溝型鋼である。構造梁２３の両端が、構造柱２２の出入口Ｈより上方の側面に固定される。
【００２５】
扉構造体３０は、出入口Ｈを開放または閉止する部材であり、扉本体３１と扉フレーム３２とで構成される。
【００２６】
扉本体３１は、出入口を閉止するための部材であり、略矩形の板構造体である。扉本体３１の幅寸法は、出入口Ｈの幅寸法より大きい。
扉本体３１の縦寸法は、出入口Ｈの縦寸法より小さくてもよい。
扉本体３１は、透明または半透明の板材でできていてもよい。
例えば、扉本体３１は、ガラス製の板材でできている。
例えば、扉本体３１は、ポリカーボネート等の樹脂製の板材でできている。
【００２７】
扉フレーム３２は、扉本体３１の縁部を支持する構造体である。
扉フレーム３２は、扉本体支持構造体３４と外周支持構造体３５と上縁保護部材３６と弾性体３７、３８とガイドシュー３３とで構成されてもよい。
【００２８】
扉本体支持構造体３４は、扉本体の縁部を支持する構造体である。
扉本体支持構造体３４は、下縁支持構造体３４ｂと左右１対の側縁支持構造体３４ａとで構成されてもよい。
下縁支持構造体３４ｂは、扉本体３１の下側の縁部に嵌合される構造体である。
例えば、下縁支持構造体３４ｂは、扉本体３１の下側の縁部が嵌合する溝を持つ。
弾性体３７が、下縁支持構造体３４ｂの溝と扉本体３１の下側の縁部との間に、挟まっていてもよい。
側縁支持構造体３４ａは、扉本体３１の左右の縁部に嵌合される構造体である。
例えば、側縁支持構造体３４ａは、扉本体３１の左右の縁部が嵌合する溝を持つ。
弾性体３７が、側縁支持構造体３４ａの溝と扉本体３１の左右の縁部との間に挟まっていてもよい。
【００２９】
外周支持構造体３５は、扉本体支持構造体３４を支持する構造体であり、左右１対の側部支持構造体３５ａと下部支持構造体３５ｂとで構成される。
側部支持構造体３５ａは、側縁支持構造体３４ａを支持する部材である。
例えば、側部支持構造体３５ａは、角パイプ状の鋼材でできている。側縁支持構造体３４ａの側面が側部支持構造体３５ａの側面に固定される。
下部支持構造体３５ｂは、側部支持構造体に両端を繋ぎ下縁支持構造体３４ｂを支持する部材である。
例えば、下部支持構造体３５ｂは、矩形断面の鋼材である。下縁支持構造体３４ｂの下面が下部支持構造体３５ｂの上面に固定される。
【００３０】
上縁保護部材３６は、扉本体３１の上部の縁を保護するための部材である。
例えば、  上縁保護部材３６は、扉本体３１の上部の縁が嵌合する溝が設けられる。
弾性体３８が、上縁保護部材３６の溝と扉本体３１の上部の縁との間に嵌まってもよい。
【００３１】
ガイドシュー３３は、扉フレーム３２の左右に各々に配され、ドアレール２１に上下方向に摺動自在に嵌合する機械要素である。
ガイドシュー３３は、外周支持構造体３５に固定されてもよい。
ガイドシュー３３は、ドアレールに嵌合する溝をもってもよい。
ガイドシュー３３は、樹脂製であってもよい。
各々２つのガイドシュー３３が、、扉フレーム３２の左右に固定されてもよい。
例えば、複数のガイドシュー３３が、側部支持構造体３５ａの左右に各々に固定される。
例えば、各々２つのガイドシュー３３が、左右１対の側部支持構造体３５ａの外側の側面に固定される。
【００３２】
扉昇降機器４０は、扉構造体３０を閉止姿勢と退避姿勢との間で上下に昇降させる機器である。
閉止姿勢は、扉本体３１が出入口Ｈの少なくとも車両１の往来する領域を塞ぐ姿勢である。
例えば、閉止姿勢は、扉本体３１が出入口Ｈの少なくとも下部の領域を塞ぐ姿勢である。
退避姿勢は、扉本体３１が出入口Ｈから下方に退避する姿勢である。
扉昇降機器４０は、牽引索巻上げ機器４１と左右１対の牽引索４２とカウンタウエイト牽引索４３とカウンタウエイト４４と光センサ４５で構成される。
牽引索４２は、側部支持構造体３５ａを上側から吊る機械要素である。
牽引索４２は、ワイヤまたはチェーンである。
カウンタウエイト牽引索４３は、カウンタウエイト４４を上側から吊る機械要素である。
牽引索巻上げ機器４１は、牽引索を巻上げと巻き下げをすることを出来る機器である。
例えば、牽引索４２とカウンタウエイト牽引索４３とが、牽引索巻上げ機器４１のドラムに反対方向に巻かれている。
牽引索巻上げ機器４１のがドラムを一方の回転方向に回転すると牽引索４２を巻上げて、カウンタウエイト牽引索を巻き下げる。
牽引索巻上げ機器４１のがドラムを他方の回転方向に回転すると牽引索４２を巻下げて、カウンタウエイト牽引索を巻上げる。
光センサ４５は、出入口Ｈに車両がいるか否か、人がいるか否かを判断するセンサである。
【００３３】
以下に、本発明の実施形態に係る入出庫ステーションと出入口ゲートの作用を説明する。
図８は、本発明の実施形態に係る出入口ゲートと入出庫ステーションの作用説明図である。
出入口ゲートの作用を、出入口ゲートが機械式駐車装置の入出庫ステーションの出入口に用いられている場合を例に、説明する。
【００３４】
（閉止姿勢）
扉昇降装機器４０が、扉本体３１を閉止姿勢に置く。
扉本体３１は、出入口Ｈの少なくとも下部の領域を塞ぐ。
扉本体３１は、側縁支持構造体３４ａと下縁支持構造体３４ｂとに弾性体３７を介して支持される。側部支持構造体３５ａと下部支持構造体３５ｂとが、側縁支持構造体３４ａと下縁支持構造体３４ｂとを支持する。
牽引索４２が側部支持構造体３５ａを吊っている。
扉本体３１は、前記下側長孔と前記右側長孔と前記左側長孔とを突き抜けて、出入口Ｈの少なくとも車両１の往来する領域を塞ぐ。
運転手は、出入口Ｈの下部を扉本体３１に覆われているので、車両１を入庫または出庫できない。
パレット昇降機器４が、車両１の乗ったパレット５を入出庫ステーション２と駐車スペース３との間で昇降させる。
扉本体３１が透明、または半透明の材料でできていると、外部から入出庫ステーションの様子を目視できる。
【００３５】
（退避姿勢）
扉昇降機器４０が、牽引索４２を巻き下げる。
扉本体３１が、出入口Ｈに沿って下降する。
扉本体３１が出入口Ｈよし下方に位置すると、牽引索４２を停止する。扉本体３１の姿勢が退避姿勢になる。
扉本体３１が、出入口より下方に退避する。扉本体３１が、下側長孔Ｓ１の中に潜り込む。
出入口Ｈが往来可能になる。
運転手は、車両１を入庫または出庫できる。車両が出入口を通過する際には、車両の車輪が下側長孔Ｓ１の設けられた床板の床面を転動する。
パレット５に乗った車両１が出入口Ｈ通過して入出庫ステーション２から出る。
また、車両が出入口Ｈを通過して入出庫ステーション２へ入る。
【００３６】
上述の実施形態の入出庫ステーションと出入口ゲートとを用いれば、以下の効果を発揮する。
構造梁２３に繋がれた左右一対の構造柱２２に上下に沿って伸びたドアレール２１を設け、略矩形の扉本体の縁部を扉フレーム３２で支持し、ガイドシュー３３を扉フレーム３２に設け、ガイドシュー３３をドアレール２１に上下方向に摺動自在に嵌合させ、扉昇降機器により扉構造体３０を昇降させて、扉本体３１を閉止姿勢と退避姿勢の間で移動させ、閉止姿勢が扉本体３１が出入口Ｈの少なくとも車両１の往来する領域を塞ぐ姿勢であり、退避姿勢が扉本体３１が出入口より下方に退避する姿勢であるので、閉止姿勢では車両１が出入口を往来するのを阻止し、退避姿勢では車両１が出入口を往来するのを可能にする。
また、入出庫ステーションを床板１１と右側壁板１２と左側壁板１３と天井板１４と奥壁板１５とで囲い、正面を正面壁板１６で覆い、出入口Ｈに沿った下側長孔Ｓ１を床板１１に設け、出入口Ｈに沿った右側長孔Ｓ２を右側壁板１２に設け、出入口Ｈに沿った左側長孔Ｓ３を左側壁板１３に設け、停止姿勢において扉本体３１が下側長孔Ｓ１と右側長孔Ｓ２左側長孔Ｓ３とを尽き抜けており、退避姿勢において扉本体が３１が出入口より下側に退避するので、閉止姿勢では車両１が出入口を往来するのを阻止し、退避姿勢では車両１が出入口を往来するのを可能にする。
車両の車輪が下側長孔Ｓ１を設けられた床板の床面を転動する。扉本体が薄いので、下側長孔の幅寸法も狭く、特別な構造を採用しなくても、車輪は下側長孔を乗り越えることをできる。
また、扉本体の下側と右側と左側とに嵌合する溝を持った扉本体支持構造３４を設け、扉本体支持構造３４の外周を支持する外周支持構造体３５を設け、ガイドシュー３３を外周支持構造体３５をに設けたので、扉構造体３０が主支持構造体２０のドアレール２１に摺動して上下方向に移動しても、扉本体に大きな応力が生じにくく、扉本体を軽量化でき、薄くすることをできる。
また、扉本体支持構造３４を扉本体３１の下側と右側と左側とに弾性体を介して嵌合する様にしたので、扉本体３１に大きな局部応力が発生することがなく、扉本体の材料の選択幅が大きくなる。例えば、扉本体３１を透明なまたは半透明な材料で製作することができる。例えば、扉本体３１をガラス製やポリカーボネート等の樹脂製で製作できる。
また、外周支持構造体３５を扉本体支持構造体３４を支持する側部支持構造体３５ａと下部支持構造体３５ｂとで構成し、扉昇降機器４０の牽引索４２が側部支持構造体３５ａの吊る様にしたので、牽引索巻き上げ機器４１が牽引索４２を巻き上げ、巻き下げした際に、扉本体に大きな応力が生じにくく、扉本体の材料の選択幅が大きくなる。例えば、扉本体３１を透明なまたは半透明な材料で製作することができる。例えば、扉本体３１をガラス製やポリカーボネート等の樹脂製で製作できる。
その結果、簡易な構成で、安定して作動する対象物を出入りさせる出入口を開閉するための出入口ゲートを提供できる。
また、本発明に係る出入口デートを機械式駐車装置の入出庫口に採用したので、軽量で、美観にも優れる、入出庫口を持った機械式駐車装置を提供できる。
【００３７】
本発明は以上に述べた実施形態に限られるものではなく、発明の要旨を逸脱しない範囲で各種の変更が可能である。
【図面の簡単な説明】
【００３８】
【図１】本発明の実施形態に係る駐車装置の側面断面図である。
【図２】本発明の実施形態に係る入出庫ステーションの側面断面図である。
【図３】本発明の実施形態に係る入出庫ステーションのＡ−Ａ断面図である。
【図４】本発明の実施形態に係る入出庫ステーションのＢ−Ｂ断面図である。
【図５】本発明の実施形態に係る出入口ゲートの部分正面図である。
【図６】本発明の実施形態に係る出入口ゲートのＣ−Ｃ断面図である。
【図７】本発明の実施形態に係る出入口ゲートのＤ−Ｄ断面図である。
【図８】本発明の実施形態に係る入出庫ステーションの作用説明図である。
【符号の説明】
【００３９】
ＦＬ    フロアレベル
Ｈ    出入口
Ｓ１    下側長孔
Ｓ２    右側長孔
Ｓ３    左側長孔
１    車両
２    入出庫ステーション
３    駐車スペース
４    パレット昇降機器
５    パレット
６    出入口ゲート
１０    出入口構造体
１１    床板
１２    右側壁板
１３    左側壁板
１４    天井板
１５    奥壁板
１６    正面壁板
２０    主支持構造体
２１    ドアレール
２２    構造柱
２３    構造梁
３０    扉構造体
３１    扉本体
３２    扉フレーム
３３    ガイドシュー
３４    扉本体支持構造体
３４ａ  側縁支持構造体
３４ｂ  下縁支持構造体
３５    外周支持構造体
３５ａ  側部支持構造体
３５ｂ  下部支持構造体
３６    上縁保護部材
３７    弾性体
３８    弾性体
４０    扉昇降機器
４１    牽引索巻上げ機器
４２    牽引索
４３    カウンタウエイト牽引索
４４    カウンタウエイト
４５    光センサ
【図１】
2006316421.tif 000003
【図２】
2006316421.tif 000004
【図３】
2006316421.tif 000005
【図４】
2006316421.tif 000006
【図５】
2006316421.tif 000007
【図６】
2006316421.tif 000008
【図７】
2006316421.tif 000009
【図８】
2006316421.tif 000010